(57)【要約】【課題】内角が９０°でない壁面コーナ部や鉛直でない壁面にステープラー針打込み板部４が∩状の衝撃吸収部３を支点として内傾或は外傾して壁面１３に密接し棚板２と壁面１３との間に隙間を形成せす、棚板２が撓まない壁面取付け用棚板１を提供する。【解決手段】棚板２の背面端縁に∩状の衝撃吸収部３を介在させてステープラー針打込み板部４を垂設している。ステープラー針打込み板部４にはステープラー針打込み部９を有している。ステープラー針打込み板部４の下端縁には、折り目５を介してカバー板部６を連設している。折り目５に沿ってカバー板部６を内方に折り、ステープラー針打込み板部４の正面にカバー板部６を重合折り畳み、ステープラー針の肩部を隠蔽している。【選択図】図７
2019042463.tif 000002
【特許請求の範囲】
【請求項１】
平坦な載置面を有する棚板と、
該棚板の周縁部のうち壁面に沿う縁部には衝撃吸収手段を介在して垂下させたステープラー針打込み板部と、ステープラー針打込み板部に折り目を介在して連続的に設けられたカバー板部よりなり、
前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設けると共に、衝撃吸収手段を固定端としてステープラー針打込み板部が内傾或は外傾可能に、ステープラー針打込み板部の横方向両側端は自由端に形成され、
前記カバー板部は、ステープラー針打込み板部の正面に露呈するステープラー針肩部を被覆隠蔽可能に、ステープラー針打込み板部の正面形状と略同一形状に形成され、
ステープラー針打込み板部の背面を壁面に当接状態下で、前記ステープラー針打込み部にステープラー針を打込み、前記折り目に沿ってカバー板部を正面方に折り返してステープラー針打込み板部の正面にカバー板部の正面を重合させるようにしたことを特徴とする壁面取付け用棚。
【請求項２】
平坦な載置面を有する棚板と、該棚板の周縁部のうち壁面に沿う縁部には衝撃吸収手段を介在して垂下させたステープラー針打込み板部と、該ステープラー針打込み板部の正面を被覆可能なカバー板よりなり、
前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設けると共に、衝撃吸収手段を固定端としてステープラー針打込み板部を内傾或は外傾可能に、ステープラー針打込み板部の横方向両側端と下側端は自由端に形成され、
前記カバー板は、ステープラー針打込み板の正面に露呈するステープラー針肩部を被覆隠蔽可能に、ステープラー針打込み板部の正面形状と略同一形状に形成され、
壁面にステープラー針打込み板部の背面を当接状態下で、ステープラー針打込み板部の正面側よりステープラー針がステープラー針打込み部に打込まれ、壁面に固定されたステープラー針打込み板部の正面に露呈するステープラー針肩部を、ステープラー針打込み板部の正面に重合したカバー板で被覆隠蔽するようにしたことを特徴とする壁面取付け用棚。
【請求項３】
平坦な載置面を有する棚板の周縁部のうち壁面に沿う縁部には、衝撃吸収手段を介在して棚板の周縁より垂下させたステープラー針打込み板部を設け、
該ステープラー針打込み板部は、複数本のステープラー針を打込み可能な広さと、ステープラーヘッド押圧操作時のステープラー針押出力によりステープラー針の脚部のみを貫通可能なステープラー針打込み部を設け、
壁面にステープラー針打込み板部の背面を当接状態下で、ステープラー針打込み板部の正面側よりステープラー針をステープラー針打込み部に打込んで壁面にステープラー針打込み板部を取り付けることで、壁面に棚板を取り付けるようにしたことを特徴とする壁面取付け用棚。
【請求項４】
棚板本体とカバー体よりなり、
前記棚板本体は、平坦な載置面を有する棚板と、該棚板の周縁部のうち壁面に沿う縁部に衝撃吸収手段を介在させて垂下連設されたステープラー針打込み板部と、棚板周縁部のうちステープラー針打込み板部が連設されていない範囲に連続的に垂設された前板部よりなり、
前記カバー体は、前記棚板本体の棚板、ステープラー針打込み板部及び前板部とで囲まれる空間部に嵌合可能に、底板の周縁に立上り壁面を設けてなり、
前記底板は棚板本体の下方開口より僅かばかり小さい相似形状で、立上り壁面の上下幅は前記ステープラー針打込み板部より僅かばかり短く設定され、且つ前記棚板本体と前記カバー体には互いに連結可能な係合手段を設けたことを特徴とする壁面取付け用棚。
【請求項５】
棚板と、カバー部材及びステープラー針打込み板部よりなり、
前記棚板は平坦な載置面を有し、
前記カバー部材は、前側板と定幅の左右側板及び底板よりなる背面が開放された箱状に形成され、前記棚板の後端縁に棚板と前側板が略９０°の角度を有して一体的に連設され、前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設け、前記棚板の後端縁に衝撃吸収手段を介在させて連続的に垂設され、
前記衝撃吸収手段を中心として棚板とカバー部材を正面方に回動させ、カバー部材の背面開放部でステープラー針打込み部を被覆可能にしたことを特徴とする壁面取付け用棚。
【請求項６】
平坦な載置面を有する棚板と、
該棚板の周縁部のうち壁面に沿う縁部には衝撃吸収手段を介在させて棚板の周縁より垂下されたステープラー針打込み板部よりなり、
前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設け、
前記衝撃吸収手段が棚板とステープラー針打込み板との間に介在することで鉛直でない壁面に対しても載置面を水平に取り付け可能にすると共に、コーナー内角が９０°でない壁面コーナー部に載置面を撓ませたり又は載置面と壁面との間に隙間を設けないようにし、載置面に物を載置する際に発生する衝撃を吸収するようにしたことを特徴とする壁面取付け用棚。
【請求項７】
上記衝撃吸収手段が、側視∩形状であることを特徴とする請求項１、２、３、４、５又は６の何れかに記載の壁面取付け用棚。
【請求項８】
上記衝撃吸収手段が、側視∧形状であることを特徴とする請求項１、２、３、４、５又は６の何れかに記載の壁面取付け用棚。
【請求項９】
上記衝撃吸収手段が、山折り部と谷折り部を交互に有する蛇腹に形成されていることを特徴とする請求項１、２、３、４、５又は６の何れかに記載の壁面取付け用棚。
【発明の詳細な説明】
【技術分野】
【０００１】  本願発明は、主として石膏ボードよりなる壁面に取り付ける壁面取付け用棚に関する。
【背景技術】
【０００２】  内角９０度の角部を有する棚板と該棚板の周縁に側板を連設してなるコーナー棚は、予め壁面に定幅板状の取付部材をビスを用いて取り付け、この取付部材にコーナー棚を取り付けるようにしたもの（特許文献１〜３参照）や、側板の背面を壁面に当接しビスを用いて側板を壁面に固定しコーナー棚を壁面コーナー部に取り付けるようにしたものが提案されている（特許文献４又は非特許文献１参照）。
壁面のうちコーナー部分ではなく平坦な部分に取り付ける棚板と側板よりなる棚は、側板背面を壁面に当接しビスを用いて壁面に棚を取り付けるものが提案されている（非特許文献２参照）。
上記特許文献１〜４や非特許文献１若しくは２に開示の棚は、ビスで棚を壁面に取り付ける構成である。そのため、棚を壁面から抜き取り除去すると、壁面に視認可能なビスの螺孔が開口される。賃貸物件を退去時には賃借人は原状回復する必要がある。壁面に刺されていたビスを抜き取った後に形成される開孔で壁面の美観が損なわれ、賃貸物件として価値が劣り、新規契約が不利になるとの理由により、賃借人は借家の退出時に賃貸人に原状回復のための費用を要求されることがある。
ところで、壁面のコーナー部内角は９０度ではない構築物が殆どで、一般的には９０°±１〜３°である場合が多い。又、壁面も正確な鉛直である場合は少なく、１〜５度僅かに前傾或は後傾している場合が多い。このような特許文献１〜４や非特許文献１又は２に開示の棚を固定すると、壁面コーナー部内角が９０°を越す場合は棚板の背面に垂設され棚の壁面に取り付ける側板と壁面との間に隙間が生じ、壁面コーナー部内角が９０°未満の場合は側板間に圧力が加わり、棚板が合成樹脂製の場合は棚板が撓み損傷する場合があり、又、壁面が鉛直でない場合は壁面の傾斜量に応じて載置面も傾斜し水平を保持できないという問題点があった。
【先行技術文献】
【特許文献】
【０００３】
【特許文献１】特開２００７−３１３０３２号公報
【特許文献２】第２５２８４２３号の実用新案登録公報
【特許文献３】実公昭６１−２９３１８号公報
【特許文献４】特開２００８−４８７７８号公報
【非特許文献】
【０００４】
【非特許文献１】１００円ショップ１００均Ｎｅｔのインターネット上のホームページのコーナーラック
【非特許文献２】１００円ショップ１００均Ｎｅｔのインターネット上のホームページのクイックラック
【発明の概要】
【発明が解決しようとする課題】
【０００５】  本発明は上記従来技術の有する問題点に鑑みて創案されたものであって、棚板の背面側端縁に衝撃吸収手段を介在させてステープラー針打込み板部を棚板の載置面に対して９０°の角度を有して垂設し、ステープラー針打込み板部が衝撃吸収手段を固定端としステープラー針打込み板部周縁のうち衝撃吸収手段と連続していない部分は自由端に形成されているので、壁面のコーナー部内角が９０°でない壁面コーナー部や鉛直でない壁面に対しても、衝撃吸収手段を支点としステープラー針打込み板部を内傾或は外傾可能にしてステープラー針打込み板部の背面を壁面に密接可能にし、且つ載置面を水平に保持状態下で壁面に取り付け可能で、しかも壁面から除去後に壁面に痕跡を残さない壁面取付け用棚を提供することを目的とする。
【課題を解決するための手段】
【０００６】  上記目的を達成するために本願発明のうち請求項１に記載の発明は、平坦な載置面を有する棚板と、該棚板の周縁部のうち壁面に沿う縁部には衝撃吸収手段を介在して垂下させたステープラー針打込み板部と、ステープラー針打込み板部に折り目を介在して連続的に設けられたカバー板部よりなり、前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設けると共に、衝撃吸収手段を固定端としてステープラー針打込み板部が内傾或は外傾可能に、ステープラー針打込み板部の横方向両側端は自由端に形成され、前記カバー板部は、ステープラー針打込み板部の正面に露呈するステープラー針肩部を被覆隠蔽可能に、ステープラー針打込み板部の正面形状と略同一形状に形成され、ステープラー針打込み板部の背面を壁面に当接状態下で、前記ステープラー針打込み部にステープラー針を打込み、前記折り目に沿ってカバー板部を正面方に折り返してステープラー針打込み板部の正面にカバー板部の正面を重合させるようにしたことを特徴とする。
請求項２に記載の発明は、平坦な載置面を有する棚板と、該棚板の周縁部のうち壁面に沿う縁部には衝撃吸収手段を介在して垂下させたステープラー針打込み板部と、該ステープラー針打込み板部の正面を被覆可能なカバー板よりなり、前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設けると共に、衝撃吸収手段を固定端としてステープラー針打込み板部を内傾或は外傾可能に、ステープラー針打込み板部の横方向両側端と下側端は自由端に形成され、前記カバー板は、ステープラー針打込み板の正面に露呈するステープラー針肩部を被覆隠蔽可能に、ステープラー針打込み板部の正面形状と略同一形状に形成され、壁面にステープラー針打込み板部の背面を当接状態下で、ステープラー針打込み板部の正面側よりステープラー針がステープラー針打込み部に打込まれ、壁面に固定されたステープラー針打込み板部の正面に露呈するステープラー針肩部を、ステープラー針打込み板部の正面に重合したカバー板で被覆隠蔽するようにしたことを特徴とする。
請求項３に記載の発明は、平坦な載置面を有する棚板の周縁部のうち壁面に沿う縁部には、衝撃吸収手段を介在して棚板の周縁より垂下させたステープラー針打込み板部を設け、該ステープラー針打込み板部は、複数本のステープラー針を打込み可能な広さと、ステープラーヘッド押圧操作時のステープラー針押出力によりステープラー針の脚部のみを貫通可能なステープラー針打込み部を設け、壁面にステープラー針打込み板部の背面を当接状態下で、ステープラー針打込み板部の正面側よりステープラー針をステープラー針打込み部に打込んで壁面にステープラー針打込み板部を取り付けることで、壁面に棚板を取り付けるようにしたことを特徴とする。
請求項４に記載の発明は、棚板本体とカバー体よりなり、前記棚板本体は、平坦な載置面を有する棚板と、該棚板の周縁部のうち壁面に沿う縁部に衝撃吸収手段を介在させて垂下連設されたステープラー針打込み板部と、棚板周縁部のうちステープラー針打込み板部が連設されていない範囲に連続的に垂設された前板部よりなり、前記カバー体は、前記棚板本体の棚板、ステープラー針打込み板部及び前板部とで囲まれる空間部に嵌合可能に、底板の周縁に立上り壁面を設けてなり、前記底板は棚板本体の下方開口より僅かばかり小さい相似形状で、立上り壁面の上下幅は前記ステープラー針打込み板部より僅かばかり短く設定され、且つ前記棚板本体と前記カバー体には互いに連結可能な係合手段を設けたことを特徴とする。
請求項５に記載の発明は、棚板と、カバー部材及びステープラー針打込み板部よりなり、前記棚板は平坦な載置面を有し、前記カバー部材は、前側板と定幅の左右側板及び底板よりなる背面が開放された箱状に形成され、前記棚板の後端縁に棚板と前側板が略９０°の角度を有して一体的に連設され、前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設け、前記棚板の後端縁に衝撃吸収手段を介在させて連続的に垂設され、前記衝撃吸収手段を中心として棚板とカバー部材を正面方に回動させ、カバー部材の背面開放部でステープラー針打込み部を被覆可能にしたことを特徴とする。
請求項６に記載の発明は、平坦な載置面を有する棚板と、該棚板の周縁部のうち壁面に沿う縁部には衝撃吸収手段を介在させて棚板の周縁より垂下されたステープラー針打込み板部よりなり、前記ステープラー針打込み板部は、複数本のステープラー針を打込み可能な広さと、ステープラーヘッド押圧操作時のステープラー針押出力によりステープラー針の脚部のみを貫通可能なステープラー針打込み部を設け、前記衝撃吸収手段が棚板とステープラー針打込み板との間に介在することで鉛直でない壁面に対しても載置面を水平に取り付け可能にすると共に、コーナー内角が９０°でない壁面コーナー部に載置面を撓ませたり又は載置面と壁面との間に隙間を設けないようにし、載置面に物を載置する際に発生する衝撃を吸収するようにしたことを特徴とする。
請求項７に記載の壁面取付け用棚は、請求項１、２、３、４、５又は６の何れかに記載の壁面取付け用棚の衝撃吸収手段が、側視∩形状であることを特徴とする。
請求項８に記載の壁面取付け用棚は、請求項１、２、３、４、５又は６の何れかに記載の壁面取付け用棚の衝撃吸収手段が、側視∧形状であることを特徴とする。
請求項９に記載の壁面取付け用棚は、請求項１、２、３、４、５又は６の何れかに記載の壁面取付け用棚の衝撃吸収手段が、山折り部と谷折り部を交互に有する蛇腹状に形成されていることを特徴とする。
【発明の効果】
【０００７】  本発明は、衝撃吸収手段が棚板とステープラー針打込み板部との間に介在すること、及び衝撃吸収手段を固定端としステープラー針打込み板部の長さ方向両側縁が自由端に形成されていることで、衝撃吸収手段を支点としてステープラー針打込み板部を内傾或は外傾可能にし、鉛直でない壁面や壁面コーナー内角が９０°でない壁面コーナー部に載置面を撓ませたり又は載置面と壁面との間に隙間を設けることなく載置面を水平状態を保持してステープラー針打込み板部を壁面に密接して取り付けることが可能で、又、載置面に物を載置した物理的衝撃に対し、衝撃吸収手段が衝撃を吸収するので耐久性が向上するという効果がある。
本発明は、壁面にステープラー針を用いて棚を取り付けるので、ビスやドライバーや等の工具を必要とせず、棚を取り外した壁面にはステープラー針の針孔が形成されるが、微細孔であるため指先で擦れば肉眼で見えなくなり、肉眼で把握可能な孔傷が形成されないという効果がある。
【図面の簡単な説明】
【０００８】
【図１】壁面取付け用棚の平面図である。（実施例１）
【図２】壁面取付け用棚の底面図である。（実施例１）
【図３】壁面取付け用棚の左側面図である。（実施例１）
【図４】図１のＡ−Ａ線断面図である。（実施例１）
【図５】図４のＢ−Ｂ線拡大断面図である。（実施例１）
【図６】図４のＣ−Ｃ線拡大断面図である。（実施例１）
【図７】壁面に壁面取付け用棚の取り付け状態を示す切欠断面説明図である。（実施例１）
【図８】折り目に沿ってカバー板部を折り返し、カバー板部をステープラー針打込み板部の正面に重合した状態を示す斜視図である。（実施例１）
【図９】壁面コーナー部に壁面取付け用棚を取り付けた状態を示す平面説明図である。（実施例１）
【図１０】ステープラー針打込み板部の正面から視た棚板、前板部、衝撃吸収部の取り付け状態を示す説明図である。（実施例２）
【図１１】ステープラー針打込み板部とカバー板部を示す説明図である。（実施例３）
【図１２】ステープラー針打込み板部とカバー板との関係を示す断面説明図である。（実施例４）
【図１３】壁面に壁面取付け用棚をステープラー針で取り付けた状態を示す断面説明図である。（実施例５）
【図１４】ステープラー針打込み板部にカバー板部を折り畳んで重合した状態を示す切欠断面説明図である。（実施例６）
【図１５】ステープラー針打込み板部にカバー板部を折り畳んで重合した状態を示す切欠断面説明図である。（実施例７）
【図１６】棚板本体とカバー体との関係を示す斜視説明図である。（実施例８）
【図１７】壁面取付け用棚の斜視図である。（実施例９）
【図１８】壁面取付け用棚の使用状態を示す拡大左側面図である。（実施例１０）
【図１９】壁面取付け用棚の斜視図である。（実施例１０）
【図２０】壁面取付け用棚の使用状態を示す拡大左側面図である。（実施例１０）
【図２１】壁面取付け用棚の斜視図である。（実施例１１）
【図２２】壁面取付け用棚の左側面図である。（実施例１１）
【図２３】壁面取付け用棚の使用状態を示す左側面図である。（実施例１１）
【発明を実施するための形態】
【０００９】  本願発明は棚板とステープラー針打込み板部との間に衝撃吸収手段を設け、ステープラ針打込み板部の周縁のうち衝撃吸収手段を取り付けていない部分は自由端にすることで、衝撃吸収手段を支点としてステープラー取り付け板部を内傾或は外傾可能にし、コーナー部内角が９０°でない壁面コーナー部にも棚板と壁面間に隙間を形成することがなく、又、棚板に内方への圧力が加わらないので棚板が撓まず変形せず、載置面を水平状態で棚板を壁面に取り付けられることを可能にし、しかもステープラー針を用いるので、棚を壁面から除去後に壁面に開設されるステープラー針脚部由来の微細孔を指先で擦ることで簡単に視認不可能な状態に消すことできるようにすることを実現した。
【実施例１】
【００１０】  図１〜図９に基づいて実施例１を説明する。壁面取付け用棚１は合成樹脂を材料とし、棚板２と、側面から視て∩状の衝撃吸収部３と、ステープラー針打込み板部４に折り目５を介して連設されたカバー板部６と前板部７よりなる。壁面取付け用棚１は、耐衝撃性、硬度等の観点より合成樹脂のうちポリエチレンを材料とし、一体成型により形成されていることが好適である。【００１１】  上面が平坦な載置面を具備する棚板２は、平面及び底面から視て、略１／４円形状に形成されている。つまり、同一長さの２側縁が、２側縁の延長線が９０°の角度をもって交差するように配設され、この交差点を中心とし２側縁の前端間が円弧状に結ばれる前端縁を有し、壁面コーナー部内角に向く部分は面取られた弧状の面取頭部８を有する平面視及び底面視が略１／４円形状に形成されている。棚板２の底面のうち壁面コーナー部内角に向く角部には、使用者が切断除去可能に段差６２を設けて略１／４円形状の棚板２の他の部分よりも厚みの薄い部分６３を設けている。使用者は段差６２に沿って棚板２を切断し、厚みの薄い部分６３を除去することで、棚板２の載置面でスマートフォーンや携帯電話等の充電等が可能に電気コード挿通溝を形成することができるようにしている。
棚板２の２側縁には、上方に彎曲する断面視が∩状の衝撃吸収部３が連設されている。断面視が∩状の衝撃吸収部３の下向きの外端縁にはステープラー針打込み板部４が垂下連設されている。ステープラー針打込み板部４の下端縁には折り目５を介在してカバー板部６が下方向に沿って連設されている。棚板２の円弧状前端縁には、前板部７が棚板２と９０°の角度を有して連続して垂設されている。カバー板部６の縦幅長さとステープラー針打込み板部４の縦幅長さと前板部７の縦幅長さは、同一長さに設定されている。カバー板部６は、後端部が僅かばかり後方に延設され、ステープラー針打込み板部４の正面にカバー板部６を重合したときにステープラー針打込み板部４の後端縁から後方に突き出す部分を、カバー板部６を開蓋する際の摘み部６０１とするようにしている。【００１２】  ステープラー針打込み板部４は、ステープラー針打込み板部４のうち他の部分よりも厚みの薄い正面視が横長矩形状のステープラー針打込み部９を上下方向に所定距離を有して離隔し、且つ、左右方向にも所定距離を離隔して設けられている。ステープラー針は肩部の長さが約９ｍｍで、脚部１０の長さが約５ｍｍ、線径が約０．５ｍｍの一般に最も広く使用されている所謂１０号サイズのものを用いる。ステープラー針打込み板部４の正面には、係合突起１１を長さ方向に離隔して設けている。【００１３】  カバー板部６は、折り目５を介在してステープラー針打込み板部４の下方に連設されている。折り目５は、ステープラー針打込み板部４とカバー板部６の境界部背面に断面Ｖ状溝を横方向に沿わせなる。カバー板部６の正面には、係合突起１１と係合可能な係合受け溝１２が凹設されている。【００１４】  次に、作用について説明する。実施例１は、壁面１３と壁面１３が交差する壁面コーナー部に設置するための壁面取付け用棚である。
先ず、壁面１３にステープラー針打込み板部４の背面を当接し、ステープラー針打込み部９にステープラーのヘッド押圧操作でステープラー針の脚部１０を打込む。ステープラー針の脚部１０は、ステープラー針打込み部９を貫通し、壁面１３より壁内に打設され、ステープラー針打込み板部４は壁面１３に固定的に取り付けられる。次に、カバー板部６を折り目５を起点として正面方に立上げ、係合突起１１に係合受け溝１２を係合して折り畳み、カバー板部６の正面をステープラー針打込み板部４の正面に重合する。ステープラー針打込み部９の正面に露呈していたステープラー針の肩部は、カバー板部６により被覆される。壁面取付け用棚１を壁面１３から取り外す場合は、摘み部６０１を正面方に引き、カバー板部６はステープラー針打込み板部４から垂下させる。ステープラー針打込み部９に露呈するステープラー針の肩部をステープラー針打込み部９から正面方へ浮き上がらせてステープラー針を壁面１３及びステープラー打込み部９から抜き取り、壁面取付け用棚１を壁面１３から除去する。壁面１３には、ステープラー針の脚部１０の線径と同径の孔が形成されるが、ステープラー針の脚部１０の線径は約０．５ｍｍであり、指の腹で擦れば、肉眼で把握できにくい。
壁面コーナ部の内角が９０°未満である場合、∩状の衝撃吸収部３の下端縁が狭まり、ステープラー針打込み板部４が内傾して壁面１３に取り付けられるので、夫々の２側縁から内側方へ加圧されることがなく、棚板２が撓んだりすることがない。壁面コーナ部の内角が９０°を越す場合、∩状の衝撃吸収部３を支点としてステープラー針打込み板部４が外傾し壁面１３に密接して取り付けられる。このように、壁面コーナー部の内角に対応して∩状の衝撃吸収部３を支点としてステープラー針打込み板部４が傾斜する構造であるので、壁面１３と棚板２との間に隙間を形成することがなく、棚板２が横方向からの圧力で撓むことがなく耐久性に優れている。
棚板２とステープラー針打込み板部４との間に∩状の衝撃吸収部３を介在しているので、載置面に物を載置する衝撃を∩状の衝撃吸収部３が吸収するので、壁面取付け用棚１が壁面１３から外れず、高耐久性を有する。
【実施例２】
【００１５】  図１０に基づいて実施例２を説明する。説明を簡単にするために、図１〜図９と同様の作用をなす部分は同一符号で説明する。棚板２の内角を挟む２側縁には∩状の衝撃吸収部３を連続して設けている。∩状の衝撃吸収部３の他端縁にはステープラー針打込み板部６４、６４を垂下連設している。２個のステープラー針打込み板部６４、６４は、∩状の衝撃吸収部３の長さ方向（横方向）中途位置で横方向に所定距離離隔して∩状の衝撃吸収部３の他端縁に垂下連設されている。ステープラー針打込み板部６４、６４は、折り目６７、６７を介してカバー板部６６、６６が連設されている。
【実施例３】
【００１６】  図１１に基づいて実施例３を説明する。説明を簡単にするために、図１〜図９と同様の作用をなす部分は同一符号で説明する。図１〜図９に示される実施例１と異なる点は、ステープラー針打込み板部１４の構造である。ステープラー針打込み板部１４は、定厚の合成樹脂製平板に穿孔１５を設けている。穿孔１５は、ステープラー針の肩部の長さ分を有して左右横幅方向に離隔した位置に設けられた２個の穿孔１５、１５を対とし、縦幅方向及び横幅方向に離隔して設けている。ステープラー針の脚部を穿孔１５、１５に差し込んで打込むことで、子供や高齢者等の手の力が弱い者でもステープラー針で壁面にステープラー打込み板部１４を取り付け可能にした。
【実施例４】
【００１７】  図１２に基づいて実施例４を説明する。棚板２の２側縁には、上方に膨出彎曲する断面視が∩状の衝撃吸収部３が連設されている。断面視が∩状の衝撃吸収部３の下向き外端縁にはステープラー針打込み板部１６が連続的に垂下している。カバー板１７は、ステープラー針打込み板部１６と同一縦幅の平板よりなり、横方向長さはステープラー針打込み板部１６の横方向長さよりも摘み部の分長く設定されている。ステープラー針打込み板部１６の正面には横方向に所定間隔を設けて係合突起１８を設けている。カバー板１７の背面には、係合突起１８と係合可能な係合受け溝１９が凹設されている。
ステープラー針の脚部１０が壁内に差し込まれ、ステープラー針打込み板部１６は壁面１３に固着される。ステープラー針打込み板部１６の正面にカバー板１７の背面を係合受け溝１９に係合突起１８を係合させて重合被覆し、ステープラー針打込み板部１６の正面に露呈するステープラー針の肩部を隠蔽するようにしている。ステープラー針打込み板部１６とカバー板１７を重合し、ステープラー針打込み板部１６の側縁からはみ出た部分は摘み部としての作用をなす。
【実施例５】
【００１８】  図１３に基づいて実施例５を説明する。説明を簡単にするために、図１２と同様の作用をなす部分は同一符号で説明する。図１２に示される実施例４と異なる点はカバー板が無い点である。ステープラー針打込み板部１６はステープラー針の脚部１０を露出した状態で壁面１３に取り付けられる。別に設けたカバー板でステープラー針打込み板部１６の正面を被覆しないため、ステープラー針打込み板部１６には係合突起は設けられていない。
【実施例６】
【００１９】  図１４に基づいて実施例６を説明する。説明を簡単にするために、図１〜図９と同様の作用をなす部分は同一符号で説明する。図１〜図９に示される実施例１と異なる点は、衝撃吸収手段である。棚板２の２側縁には、上方に頂部が配設された断面視が∧状の衝撃吸収部２０が連設されている。断面視が∧状の衝撃吸収部２０の下向き外端縁にはステープラー針打込み板部４が連続的に垂下している。ステープラー針打込み板部４の下端縁には折り目５を介在してカバー板部６が下方向に連設されている。
ステープラー針打込み板部４の背面を壁面１３に当接し、ステープラー針の脚部１０はステープラー針打込み部９から壁面１３を経て壁内に刺し込まれる。カバー板部６は折り目５を起点として起こし、ステープラー針打込み板部４の正面にカバー板部６の正面を密接させて重合する。ステープラー針打込み板部４の正面に突設した係合突起１１は、カバー板部６の正面に凹設された係合受け溝１２に係合されて、ステープラー針打込み板部４の正面に露呈するステープラー針の肩部を隠蔽する。
【実施例７】
【００２０】  図１５に基づいて実施例７を説明する。説明を簡単にするために、図１〜図９と同様の作用をなす部分は同一符号で説明する。図１〜図９に示される実施例１と異なる点は、衝撃吸収手段である。本実施例の衝撃吸収手段は、棚板２の２側縁とステープラー針打込み板部４との間に、山折り部２１と谷折り部２２を有する蛇腹状部を連設してなる。
【実施例８】
【００２１】  図１６に基づいて実施例８を説明する。本実施例で示される壁面取付け用棚２３は、棚板本体２４とカバー体２５とを組み合わせてなる。棚板本体２４は、同一長さの２側縁の延長線が９０°の角度をもって交差するように配設され、この交差点を中心とし２側縁の前端間が円弧状に結ばれる前側周縁を有し、壁面コーナー部内角に向く部分は面取られた弧状の面取頭部８を有する平面視及び底面視が略１／４円形状に形成された棚板２６の前側周縁に垂下する前板部２７が連設され、夫々の２側縁には縦断面が∩状の衝撃吸収部３を介して垂下するステープラー針打込み板部２８が連設され、ステープラー針打込み板部２８には折り目２９を介してカバー板部が連設され、棚板２６の底面には突起３０が設けられている。壁面１３にステープラー針打込み板部２８の背面を当接状態で、ステープラー針打込み板部２８のステープラ針打込み部にステープラ針を打込んで、ステープラー針打込み板部２８を壁面に取り付ける。折り目２９を起点としてカバー板部を折り、カバー板部の正面をステープラー針打込み板部２８に重合し、ステープラー針打込み板部２８とカバー板部の夫々が具備する嵌合手段で、カバー板部の折り畳み状態を保持する。下方は開口されている。カバー体２５は底板３１の周縁に立上り壁面３２を設けている。底板３１は棚板本体２４の下方開口より僅かばかり小さい相似形状で、前記立上り壁面３２の上下幅は前記ステープラー針打込み板部２８より僅かばかり短く設定されている。底板３１の上面には突起３０と嵌合する嵌合受け部３３を設けている。突起３０を嵌合受け部３３に嵌め込んで、カバー体２５を棚板本体２４の下方開口に取付て使用するものである。
【実施例９】
【００２２】  図１７及び図１８に基づいて実施例９を説明する。平板よりなる棚板３４の１辺には、縦断面が∩状の衝撃吸収部３５を連続的に設け、縦断面が∩状の衝撃吸収部３５の外端縁にはステープラー針打込み板部３６を垂下連設している。ステープラー針打込み板部３６には折り目３７を介してカバー板部３８を連設している。ステープラー針打込み板部３６には、ステープラー針が貫通可能な肉薄のステープラー針打込み部３９を設けている。４０は係合突起である。カバー板部３８の正面には係合突起４０と係合する係合受け溝４１を設けている。折り目３７に沿って、カバー板部３８の正面をステープラー針打込み板部３６の正面に重合すると、係合突起４０が係合受け溝４１に係合する。
【実施例１０】
【００２３】  図１９及び図２０に基づいて実施例１０を説明する。４角形状の棚板４２の４辺のうち１辺は縦断面が∩状の衝撃吸収部４３を介してステープラー針打込み板部４４が垂下連設されている。ステープラー針打込み板部４４にはステープラー針が貫通可能な肉厚のステープラー針打込み部４５を設けている。棚板４２の４辺のうち∩状の衝撃吸収部４３が連設されていない３辺には、棚板４２と９０°の角度を有して垂下する左右側板４６と前側板４７が夫々連設されている。前側板４７は左右側板４６と連設されている。左右側板４６とステープラー針打込み板部４４は連設されていない。ステープラー針打込み板部４４には係合突起４８を設けている。ステープラー針打込み板部４４には折り目４９を介在してカバー板部５０が連設されている。カバー板部５０の正面には係合突起４８と係合可能な係合受け溝５１を設けている。
【実施例１１】
【００２４】  図２１〜図２３に基づいて実施例１１を説明する。本実施例は、棚板５２と内角９０°の角度をもって前側板５３が一体的に取り付けられている。前側板５３の左右縁部には前側板５３と９０°の角度を有して側板５４、５４が連設され、前側板５３の前縁部には前側板５３と９０°の角度を有して底板５５が連設されている。前側板５３と、側板５４、５４、底板５５及び棚板５２の後端部で囲まれ、背面が解放された箱状に形成されている。前側板５３の背面には突起５６が設けられている。棚板５２の後端縁には縦断面が∩状の衝撃吸収部５７を連続的に設けられている。縦断面が∩状の衝撃吸収部５７の下向きの後端縁にはステープラー打込み板部５８が連設されている。ステープラー打込み板部５８には、ステープラー針の脚部１０が貫通可能な肉薄のステープラー針打込み部５９を設けている。ステープラー打込み板部５８の正面には突起５６を嵌合可能な嵌合受け溝６０を設け、左右側縁にはステープラー打込み板部５８の正面と略９０°の角度を有して正面方に連続的に突き出す側片６１を設けている。側片６１の前後幅は側板５４の前後幅より僅かばかり短く設定されている。【００２５】  壁面１３にステープラー打込み板部５８の背面を当接し、ステープラー針打込み部５９にステープラー針の脚部１０を打込むと、壁面１３にステープラー打込み板部５８が取り付けられる。図２２に示すように、前側板５３でステープラー打込み板部５８の正面を覆うと、棚板５２が略水平に配設される。
【符号の説明】
【００２５】１、２３  壁面取付け用棚
２、２６、３４、４２、５２  棚板
３、２０、３５、４３、５７  衝撃吸収部
４、１４、１６、２８、３６、４４、５８、６４  ステープラー針打込み板部
５、２９、３７、４９、６７  折り目
６、３８、５０、６６  カバー板部
９、３９、４５、５９、６５  ステープラー針打込み部
１０  ステープラー針の脚部
１３  壁面
１７  カバー板
２１  山折り部
２２  谷折り部
２４  棚板本体
２５  カバー体
３１、５５  底板
３２  立上り壁面
４６、５４  側板
４７、５３  前側板
【図１】
2019042463.tif 000003
【図２】
2019042463.tif 000004
【図３】
2019042463.tif 000005
【図４】
2019042463.tif 000006
【図５】
2019042463.tif 000007
【図６】
2019042463.tif 000008
【図７】
2019042463.tif 000009
【図８】
2019042463.tif 000010
【図９】
2019042463.tif 000011
【図１０】
2019042463.tif 000012
【図１１】
2019042463.tif 000013
【図１２】
2019042463.tif 000014
【図１３】
2019042463.tif 000015
【図１４】
2019042463.tif 000016
【図１５】
2019042463.tif 000017
【図１６】
2019042463.tif 000018
【図１７】
2019042463.tif 000019
【図１８】
2019042463.tif 000020
【図１９】
2019042463.tif 000021
【図２０】
2019042463.tif 000022
【図２１】
2019042463.tif 000023
【図２２】
2019042463.tif 000024
【図２３】
2019042463.tif 000025